(57)【要約】【課題】子猫が猫トイレに入るのを補助することができ、かつ猫砂の室内への飛散を防止できる猫トイレ用スロープを提供することを目的としている。また、子猫が成長した後でも、爪研ぎとして使用できる猫トイレ用スロープを提供することを目的としている。【解決手段】本発明に係る猫トイレ用スロープ１は、凹陥する傾斜面部３を有する本体５と、傾斜面部３に着脱可能に設置されたスロープ用段ボールブロック体７と、本体５に取り付けられて、スロープ用段ボールブロック体７の周縁を押える枠体９とを有し、スロープ用段ボールブロック体７は、段ボールのフルート端面が上面になるように配置され、該フルート端面の開口の大きさが10mm〜15mmに設定されていることを特徴とするものである。【選択図】  図１
2015006140.tif 000002
【特許請求の範囲】
【請求項１】
凹陥する傾斜面部を有する本体と、前記傾斜面部に着脱可能に設置された段ボール製のスロープ用段ボールブロック体と、前記本体に取り付けられて、前記スロープ用段ボールブロック体の周縁を押える枠体とを有し、
前記スロープ用段ボールブロック体は、段ボールのフルート端面が上面になるように配置され、該フルート端面の開口の大きさが10mm〜15mmに設定されていることを特徴とする猫トイレ用スロープ。
【請求項２】
前記スロープ用段ボールブロック体は、下面側にシート部材が貼り付けられていることを特徴とする請求項１記載の猫トイレ用スロープ。
【請求項３】
前記枠体は、その一辺が本体の傾斜上辺側に枢着され、上辺側を回動軸として回動可能に本体に取り付けられていることを特徴とする請求項１又は２に記載の猫トイレ用スロープ。
【請求項４】
前記スロープ用段ボールブロック体は、爪研ぎ用段ボールブロック体に交換可能になっていることを特徴とする請求項１乃至３の何れか一項に記載の猫トイレ用スロープ。
【請求項５】
凹陥する傾斜面部を有する本体と、前記傾斜面部に着脱可能な段ボール製のスロープ用段ボールブロック体と、前記傾斜面部に着脱可能な段ボール製の爪研ぎ用段ボールブロック体と、前記本体に取り付けられて前記傾斜面部に装着された前記スロープ用段ボールブロック体又は前記爪研ぎ用段ボールブロック体の周縁を押える枠体とを有し、
前記スロープ用段ボールブロック体と前記爪研ぎ用段ボールブロック体は任意に選択していずれか一方を前記傾斜面部に装着可能になっており、かつ
前記スロープ用段ボールブロック体は、段ボールのフルート端面が上面になるように配置され、該フルート端面の開口の大きさが10mm〜15mmに設定されていることを特徴とする猫用爪研ぎ兼スロープ。
【請求項６】
請求項１乃至３のいずれか一項に記載の猫トイレ用スロープにおけるスロープ用段ボールブロック体に代えて前記凹陥する傾斜面部に装着可能なことを特徴とする爪研ぎ用段ボールブロック体。
【発明の詳細な説明】
【技術分野】
【０００１】
本発明は、例えば子猫のように脚力が十分でない猫が猫トイレに入るのを補助する猫トイレ用スロープに関する。また、爪研ぎとスロープを兼用できる猫用爪研ぎ兼スロープに関する。さらには、爪研ぎ用段ボールブロック体に関する。
【背景技術】
【０００２】
室内に飼育する猫などのペットが、床面とソファ等の室内家具等との段差を容易かつ安全に移動できるようにするための補助具として、例えば特許文献１に「段差昇降補助具」が提案されている。
【０００３】
また、室内に飼育する猫が、柱や家具等で爪研ぎをして家具等を傷つけないよう、猫に積極的に爪研ぎをさせる猫用爪研ぎ器が提案されている（特許文献２参照）。
【先行技術文献】
【特許文献】
【０００４】
【特許文献１】実用新案登録３１５４７３９号公報
【特許文献２】特開２００３−１６４２３４号公報
【発明の概要】
【発明が解決しようとする課題】
【０００５】
猫を飼育する場合、通常は子猫のときから飼育を始めるが、子猫のときにも猫トイレを使用する。猫トイレは、周壁で囲まれた内側に猫砂が入れてあるが、猫トイレは成長した猫を想定しており、周壁が高くなっているため、脚力が十分でなく体の小さい子猫が周壁を飛び越えて猫トイレに入るのは困難である。
そこで、子猫が猫トイレに入るのを補助するためのスロープが必要となる。このようなスロープとして、特許文献１の「段差昇降補助具」を用いることが考えられる。
しかしながら、段差昇降補助具では、猫砂を落とす機能がないため、猫トイレで子猫の足裏に付着した猫砂が猫トイレ外に持ち出されて室内が汚れるという問題がある。
また、子猫が成長するとスロープは不要になってしまうという問題もある。
【０００６】
本発明はかかる課題を解決するためになされたものであり、子猫が猫トイレに入るのを補助することができ、かつ猫砂の室内への飛散を防止できる猫トイレ用スロープを提供することを目的としている。
また、本発明は、子猫が成長した後でも、爪研ぎとして使用できる猫トイレ用スロープを提供することを目的としている。
また、爪研ぎとスロープを兼用できる猫用爪研ぎ兼スロープを提供することを目的としている。
さらに、前記猫トイレ用スロープのスロープ用段ボールブロック体に代えて装着可能な爪研ぎ用段ボールブロック体を提供することを目的としている。
【課題を解決するための手段】
【０００７】
（１）本発明に係る猫トイレ用スロープは、凹陥する傾斜面部を有する本体と、前記傾斜面部に着脱可能に設置された段ボール製のスロープ用段ボールブロック体と、前記本体に取り付けられて、前記スロープ用段ボールブロック体の周縁を押える枠体とを有し、
前記スロープ用段ボールブロック体は、段ボールのフルート端面が上面になるように配置され、該フルート端面の開口の大きさが10mm〜15mmに設定されていることを特徴とするものである。
【０００８】
（２）また、上記（１）に記載のものにおいて、前記スロープ用段ボールブロック体は、下面側にシート部材が貼り付けられていることを特徴とするものである。
【０００９】
（３）また、上記（１）又は（２）に記載のものにおいて、前記枠体は、その一辺が本体の傾斜上辺側に枢着され、上辺側を回動軸として回動可能に本体に取り付けられていることを特徴とするものである。
【００１０】
（４）また、上記（１）乃至（３）のいずれかに記載のものにおいて、前記スロープ用段ボールブロック体は、爪研ぎ用段ボールブロック体に交換可能になっていることを特徴とするものである。
【００１１】
（５）本発明に係る猫用爪研ぎ兼スロープは、凹陥する傾斜面部を有する本体と、前記傾斜面部に着脱可能な段ボール製のスロープ用段ボールブロック体と、前記傾斜面部に着脱可能な段ボール製の爪研ぎ用段ボールブロック体と、前記本体に取り付けられて前記傾斜面部に装着された前記スロープ用段ボールブロック体又は前記爪研ぎ用段ボールブロック体の周縁を押える枠体とを有し、
前記スロープ用段ボールブロック体と前記爪研ぎ用段ボールブロック体は任意に選択していずれか一方を前記傾斜面部に装着可能になっており、かつ
前記スロープ用段ボールブロック体は、段ボールのフルート端面が上面になるように配置され、該フルート端面の開口の大きさが10mm〜15mmに設定されていることを特徴とするものである。
【００１２】
（６）本発明に係る爪研ぎ用段ボールブロック体は、上記（１）乃至（３）のいずれかに記載の猫トイレ用スロープにおけるスロープ用段ボールブロック体に代えて前記凹陥する傾斜面部に装着可能なことを特徴とするものである。
【発明の効果】
【００１３】
本発明においては、スロープ用段ボールブロック体は、前記スロープ用段ボールブロック体は、段ボールのフルート端面が上面になるように配置され、該フルート端面の開口の大きさが10mm〜15mmに設定されているので、子猫の足が入る込むことなく、肉球から落ちた猫砂を収容することができる。
【図面の簡単な説明】
【００１４】
【図１】本発明の一実施の形態に係る猫トイレ用スロープの斜視図である。
【図２】図１中の太矢印で示す方向からの猫トイレ用スロープの斜視図である。
【図３】本発明の一実施の形態に係る猫トイレ用スロープの枠体を、上辺側を回動軸として回動させた状態の説明図である。
【図４】図３に示す猫トイレ用スロープからスロープ用段ボールブロック体を取り外した状態を示したものである。
【図５】本発明の一実施の形態に係る猫トイレ用スロープのスロープ用段ボールブロック体の説明図である。
【図６】スロープ用段ボールブロック体のフルート端面の段の幅の説明図である。
【図７】図５に示すスロープ用段ボールブロック体の下面側の説明図である。
【図８】図５〜図７に示すスロープ用段ボールブロック体に替えて使用する爪研ぎ用段ボールブロック体の説明図である。
【図９】図１におけるＡ−Ａ矢視断面図の一部であり、スロープ用段ボールブロック体の設置状態を説明する図である。
【発明を実施するための形態】
【００１５】
本発明の一実施の形態に係る猫トイレ用スロープ１は、図１に示すように、凹陥する傾斜面部３（図４参照）を有する本体５と、傾斜面部３に着脱可能に設置されたスロープ用段ボールブロック体７と、本体５に取り付けられて、スロープ用段ボールブロック体７の周縁を押える枠体９とを有している。
以下、各構成を詳細に説明する。
【００１６】
＜本体＞
本体５は、図１に示すように、脚部５ａを有する矩形状の台からなる。
傾斜面部３は、図４に示すように、矩形状に凹陥している。傾斜面部３の傾斜角度は10°〜50°が好ましく、15°〜45°がより好ましい。傾斜角度を10°以上にしたのは、一般的な猫トイレの周壁の高さを考慮すると、傾斜角度を10°未満にした場合には、スロープの長さが長くなりすぎるからである。また、傾斜角度を50°以下にしたのは、傾斜角度が50°を超えると子猫が登れなくなるからである。
傾斜面部３の底面には、後述するスロープ用段ボールブロック体７のシート部材１３の挿入穴１３に挿入されてスロープ用段ボールブロック体７がずれないようにするための突起３ａが複数設けられている。
突起３ａは、スロープ用段ボールブロック体７及び爪研ぎ用段ボールブロック体１７のずれ止めとして機能する。
【００１７】
本体５の脚部５ａの接地面には滑り止めゴム１１が取り付けられている。滑り止めゴム１１を設けることで、スロープとして用いる場合及び後述する爪研ぎとして用いる場合の両方の場合において本体５を安定して床面に載置でき、スロープ及び爪研ぎとしての機能を十分に発揮できる。
本体５の傾斜下辺側には、図３に示すように、枠体９と係止する係止部５ｂが設けられている。
【００１８】
＜スロープ用段ボールブロック体＞
スロープ用段ボールブロック体７は、図５に示すように、フルート端面の段の幅Ｌ１及びフルート端面の開口幅Ｌ２（図６参照）が10mm〜15mmの段ボールを複数枚貼り合せてなり、フルート端面を上面として用いられる。
スロープ用段ボールブロック体７の大きさは、本体５の傾斜面部３とほぼ同じに設定されており、高さは傾斜面部３の凹陥の深さよりも3mm〜7mm程度高い寸法に設定されている。
スロープ用段ボールブロック体７の高さを凹陥の深さよりも若干だけ高く設定したことで、スロープ用段ボールブロック体７を本体５から取り外し易くなっている。
なお、スロープ用段ボールブロック体７の上辺部と本体５との間には、7mm〜12mmの隙間が形成されており（図３参照）、スロープ用段ボールブロック体７の取り外しを容易にできるようになっている。
【００１９】
フルート端面の段の幅Ｌ１及びフルート端面の開口幅Ｌ２を10mm〜15mmに設定した理由は以下の通りである。本発明における開口幅は、フルート端面の段の幅Ｌ１とフルート端面の開口幅Ｌ２の両方を意味している。
フルート端面の段の幅Ｌ１及びフルート端面の開口幅Ｌ２は、子猫がスロープ用段ボールブロック体７の上を歩く際に、猫砂は入るが子猫の足は入らない大きさにする必要がある。猫砂の大きさは、3mm〜15mmである。他方、子猫の足の大きさは、15mm〜25mmである。そこで、フルート端面の段の幅Ｌ１及びフルート端面の開口幅Ｌ２を10mm〜15mmに設定した。これにより、子猫がスロープ用段ボールブロック体７の上を歩いても、子猫の足が入り込むことなく、猫砂を収容することができる。
【００２０】
スロープ用段ボールブロック体７の下面側には、図７に示すように、シート部材１３が貼り付けられている。こうすることにより、スロープ用段ボールブロック体７の中に入った猫砂が本体５側に漏れることがなく、スロープ用段ボールブロック体７を取り外して猫砂を猫トイレに戻すことが容易にできる。
シート部材１３には本体５の突起３ａが挿入される挿入穴１３ａが複数設けられている。
シート部材１３に挿入穴１３ａを設け、本体５の突起３ａを挿入することで、スロープ用段ボールブロック体７上を猫が歩くときにスロープ用段ボールブロック体７がずれるのを防止できる。
【００２１】
また、スロープ用段ボールブロック体７は、フルート端面の段の幅が1.5mm〜3mm（図８中の白丸で囲んだ部分の拡大図参照）の爪研ぎ用段ボールブロック体１７（図８参照）に交換可能になっており、成猫になってスロープが不要となった場合には、爪研ぎとして使用することができる。
爪研ぎ用段ボールブロック体１７は、上下両面を爪研ぎに使用するので、シート部材１３を貼り付けていない。なお、爪研ぎ用段ボールブロック体１７を本体５の傾斜面部３に設置する際には、爪研ぎ用段ボールブロック体１７を軽く押えることで、爪研ぎ用段ボールブロック体１７のフルート端面の開口に突起３ａが挿入され、ずれないように設置できる。
また、老猫になり再度スロープが必要となった場合には、スロープ用段ボールブロック体７を用いることができる。
【００２２】
＜枠体＞
枠体９は、矩形状からなり、その一辺がヒンジ部１５（図２参照）を介して本体５の傾斜上辺側に枢着され、傾斜上辺側を回動軸として回動可能に本体５に取り付けられている。
枠体９の断面は、図９に示すように円弧状になっており、枠内周端部９ａが傾斜面部３側に延出している。そのため、傾斜面部３にスロープ用段ボールブロック体７を設置した状態で枠体９を閉じれば、枠内周端部９ａによってスロープ用段ボールブロック体７の周縁を押えることができる。
枠外周端部９ｂは、本体５の周縁に係止し、枠体９が閉じた状態を保持できるようになっている。
また、枠体９の下面内周側の四隅には、係止突起９ｆが設けられており（図３、図４参照）、スロープ用段ボールブロック体７や爪研ぎ用段ボールブロック体１７の上面に係止してスロープ用段ボールブロック体７や爪研ぎ用段ボールブロック体１７がずれるのを防止できるようになっている。
【００２３】
枠体９を設けることで、猫のいたずらによってスロープ用段ボールブロック体７がはずされるのを防止できる。
枠体９の先端には、取っ手９ｃが設けられ、取っ手９ｃの裏側には枠体９を閉じたときに本体５の係止部５ｂに係止する係止爪９ｅが設けられている。
係止爪９ｅが係止部５ｂに係止することで、枠体９が猫のいたずらによって容易に開かないようになっている。
枠体９を閉じた状態で、取っ手９ｃと床面との間には15ｍｍ〜18ｍｍ程度の隙間ができるようになっており、人間の大人の指（10ｍｍ〜15ｍｍ）を挿入できるようになっている。なお、生後８週目の子猫の体高（足裏から肩までの高さ）は110ｍｍから130ｍｍであり、上記隙間であればスロープの端部の高さがそれ程高くならず、子猫がスロープを登るのに弊害となることはない。
【００２４】
以上のように構成された本実施の形態の使用方法を説明する。
猫トイレ用スロープ１は図示しない猫トイレの側方に設置する。
子猫はトイレに入るときにスロープを利用して猫トイレに入り、猫トイレから出る際にもスロープを利用する。子猫が猫トイレから出る場合には、足の肉球の隙間に猫砂が挟まるように付着するが、付着した猫砂は、子猫が下りスロープを踏ん張るように歩くと、肉球の隙間が広がり、猫砂がスロープ用段ボールブロック体７の中に落ちて収容される。
【００２５】
スロープ用段ボールブロック体７の中に収容された猫砂は、スロープ用段ボールブロック体７を本体５から外して、猫トイレに簡単に戻すことができる。
【００２６】
子猫が成長して猫トイレへ入るためのスロープが不要になった場合には、スロープ用段ボールブロック体７を爪研ぎ用段ボールブロック体１７に取り換える。
爪研ぎ用段ボールブロック体１７を傾斜面部３に装着すると、爪研ぎ面が傾斜面となる。爪研ぎをする際、猫は傾斜面の上側から下側に足を動かすため、爪研ぎ用段ボールブロック体１７を床面に押し付ける力が作用する。このため、爪研ぎ面が水平になっている平板状の爪研ぎに比べて本体５が移動しにくく、爪研ぎとして好適である。特に、本実施の形態の本体５には滑り止めゴム１１を設けているので、床面を押し付ける力が作用することで本体５と床面との摩擦が強くなり、より移動防止効果が高まっている。
また、猫は家の柱等のように床面よりも高く傾斜した部位で爪研ぎを行う習性があるが、本実施の形態のものは、爪研ぎ用段ボールブロック体１７が傾斜面に設置されることから、床面から所定の高さに爪研ぎ面が配置され、爪研ぎとして好適である。
このように、本実施の形態では、スロープと爪研ぎとを兼用することで、爪研ぎとしてもより優れたものとなっている。
【００２７】
なお、老猫になった場合には、スロープ用段ボールブロック体７に戻して、スロープとして使用するようにしてもよい。
【００２８】
このように本実施の形態の猫トイレ用スロープ１は、子猫の時から成猫、さらには老猫になるまで使用することができる。
【符号の説明】
【００２９】
１  猫トイレ用スロープ
３  傾斜面部
３ａ  突起
５  本体
５ａ  脚部
５ｂ  係止部
７  スロープ用段ボールブロック体
９  枠体
９ａ  枠内周端部
９ｂ  枠外周端部
９ｃ  取っ手
９ｅ  係止爪
１１  滑り止めゴム
１３  シート部材
１３ａ  挿入穴
１５  ヒンジ部
１７  爪研ぎ用段ボールブロック体
【図１】
2015006140.tif 000003
【図２】
2015006140.tif 000004
【図３】
2015006140.tif 000005
【図４】
2015006140.tif 000006
【図５】
2015006140.tif 000007
【図６】
2015006140.tif 000008
【図７】
2015006140.tif 000009
【図８】
2015006140.tif 000010
【図９】
2015006140.tif 000011